(57)【要約】【課題】充電コンデンサを電源として電磁弁を動作させる自動水栓の給水制御装置において、充電コンデンサの経年劣化による容量低下によって、充電コンデンサの充電量が予定より少ないことによって電磁弁が作動不良を引き起こす問題を解決する。【解決手段】充電コンデンサ４２を電源として電磁弁２６を動作させる自動水栓の給水制御装置において、充電コンデンサ４２の電圧を検出する電圧検出器４４と、電圧検出器４４を介して充電コンデンサ４２の電圧を監視する制御部３０とを設けておく。その制御部３０は、電磁弁２６の動作による充電コンデンサ４２の、予め設定した基準設定電圧からの電圧低下が予定した電圧低下よりも大であるときに、基準設定電圧を更に高電圧側に再設定するようにしておく。【選択図】        図２
2004251387.tif 000002
【特許請求の範囲】
【請求項１】
充電コンデンサを電源として電磁弁を動作させる給水装置の給水及び給水停止を制御する給水制御装置であって、
前記充電コンデンサの電圧を検出する電圧検出手段と、該電圧検出手段を介して該充電コンデンサの電圧を監視する制御部とを有しており、且つ該制御部は、前記電磁弁の動作による前記充電コンデンサの、予め設定した基準設定電圧からの電圧低下が予定した電圧低下よりも大であるときに、該基準設定電圧を更に高電圧側に再設定するようになしてあることを特徴とする給水制御装置。
【請求項２】
充電コンデンサを電源として電磁弁を動作させる給水装置の給水及び給水停止を制御する給水制御装置であって、
前記充電コンデンサの電圧を検出する電圧検出手段と、該電圧検出手段を介して該充電コンデンサの電圧を監視する制御部とを有しており、且つ該制御部は、開弁指令に基づいて前記電磁弁を開弁動作させるに際し、該電磁弁を１回分だけ開弁及び閉弁動作させるに必要な最小限の電圧として設定した基準設定電圧Ｖａに対して前記充電コンデンサの電圧が同等以上であるときに該電磁弁を開弁動作させるとともに、開弁動作中に該充電コンデンサの電圧が残された１回の閉弁動作に必要な最小限の電圧として設定した基準設定電圧Ｖｂを下回る直前になったとき直ちに開弁動作を中止させて閉弁動作させるとともに、前記Ｖａ，Ｖｂを更に高電圧側の適正な電圧に再設定するようになしてあることを特徴とする給水制御装置。
【請求項３】
請求項１，２の何れかにおいて、前記給水装置は、水流で発電する発電機で発生した電気エネルギを前記充電コンデンサに充電するものとなしてあることを特徴とする給水制御装置。
【請求項４】
水流で発電する発電機で発生した電気エネルギを充電コンデンサに充電し、該充電コンデンサを電源として電磁弁を動作させる給水装置の給水及び給水停止を制御する給水制御装置であって、
前記充電コンデンサの電圧を検出する電圧検出手段と、該電圧検出手段を介して該充電コンデンサの電圧を監視する制御部とを有しており、且つ該制御部は、吐水中に閉弁指令を受けたときに前記充電コンデンサの電圧が閉弁動作２回と開弁動作１回を行うに必要な最小限の電圧として予め設定してある基準設定電圧Ｖｃより小であるときに、該充電コンデンサの電圧が該Ｖｃとなるまで該電磁弁を閉弁させず強制的に開弁状態を保持するようになしてあることを特徴とする給水制御装置。
【請求項５】
請求項２において、前記給水装置は水流で発電する発電機で発生した電気エネルギを充電コンデンサに充電するものとなしてあるとともに、前記制御部は、吐水中に閉弁指令を受けたときに前記充電コンデンサの電圧が閉弁動作２回と開弁動作１回を行うに必要な最小限の電圧として予め設定してある基準設定電圧Ｖｃより小であるときに該充電コンデンサの電圧が該Ｖｃとなるまで該電磁弁を閉弁させず強制的に開弁状態を保持するようになしてあり、且つ前記Ｖａ，Ｖｂの再設定を実行したとき該Ｖｃも再設定するようになしてあることを特徴とする給水制御装置。
【請求項６】
請求項４，５の何れかにおいて、前記強制的に開弁状態を保持するに際して、表示部に該強制的な開弁状態であることを表示させるようになしてあることを特徴とする給水制御装置。
【請求項７】
請求項６において、前記表示部がＬＥＤ表示部であることを特徴とする給水制御装置。
【発明の詳細な説明】
【０００１】
【発明の属する技術分野】
この発明は自動水栓等の給水装置、特に充電コンデンサを電源として電磁弁を動作させる給水装置の給水及び給水停止を制御する給水制御装置に関する。
【０００２】
【従来の技術】
従来より、水流の勢いで翼車を回転させて発電を行う発電機を備え、その発電機で発生した電気エネルギを蓄電手段に蓄積し、これを電源として電磁弁を開閉させて給水及び給水停止を行うようになした給水装置が広く用いられている。
例えば手を差し出すとセンサがこれを検知して、吐水口から自動的に吐水する自動水栓においてこの種の給水装置が備えられており、また便器の使用者をセンサで検知して自動的に洗浄水を放出する便器の洗浄装置においても、この種の給水装置が備えられている。
【０００３】
この給水装置における電磁弁等の電源として二次電池（蓄電池）を用いたものが従来公知であるが、この蓄電池の場合、充放電回数に制限があるなどの問題があり、そこで蓄電手段として充電コンデンサを用いることも多く行われている。
【０００４】
ところで充電コンデンサを電源として用いた給水装置において、充電コンデンサに蓄積されている電気エネルギが少ない状態で電磁弁を開弁動作させてしまうと、その際のエネルギ消費によって次に電磁弁を閉弁動作させようとしても、エネルギ不足によって電磁弁を閉弁動作させられなくなる場合が生じ得る。
この場合水が出っ放しとなってしまう問題が生ずる。
【０００５】
尤も給水装置が水流で発電を行う発電機を備えている場合、給水による発電によって充電コンデンサにエネルギ補給を行うことができるが、何らかの原因によって発電機が故障している場合にはその際のエネルギ補給もできないこととなり、従ってこの種給水装置においては、充電を期待できない場合においても確実に最終的に電磁弁を閉弁動作させられるようにしておくことが求められる。
【０００６】
或いは一次電池をバックアップ電池として備えておいたような場合にも充電コンデンサへの充電が可能であるが、この場合にも電池切れを起したような場合には充電コンデンサへの充電が行われず、そのときには電磁弁が閉じることなく開き放しとなってしまうといった場合が生じる。
また一次電池をバックアップ電池として備えておく場合においても電池消耗を抑えて実質的に電池交換を要しないメンテナンスフリー化を図る上で上記のような問題の発生は好ましくない。
【０００７】
この問題に対する対策として、下記特許文献１には、充電コンデンサの電圧が電磁弁を１回分だけ開弁動作及び閉弁動作させるのに必要な基準設定電圧に満たないときには、電磁弁の開弁動作を禁止するようになした点が開示されている。
【０００８】
このときの基準設定電圧を図７（Ａ）中Ｖａとし、電磁弁を１回だけ開弁動作させるのに必要なエネルギをＳａ、電磁弁を１回閉弁動作させるのに必要な基準設定電圧をＶｂ、電磁弁を１回閉弁動作させるのに必要なエネルギをＳｂとすれば、充電コンデンサの電圧がＶａ以上のときに開弁動作を許容し、Ｖａより小のときに開弁動作を禁止するようにしておけば、電磁弁が開弁した後において電磁弁が閉弁動作できなくなってしまうといった不具合を回避することが可能である。
【０００９】
【特許文献１】
特開２０００−２８３３２６号公報
【００１０】
【発明が解決しようとする課題】
しかしながら充電コンデンサは使用を続けるうちに経年変化によって劣化を生じ、例えば当初は１ファラッドの容量であったものが劣化によって０．５ファラッドまで低下してしまうといったことが起こり得る。
この場合、エネルギ消費による（電磁弁の動作による）充電コンデンサの電圧低下は、劣化を生じていない当初の電圧低下に対してより急激となる。即ち図７（Ａ）中Ｐ１が当初の電圧の低下曲線であったとすると、図７（Ｂ）に示しているように劣化後の充電コンデンサの電圧の低下曲線がＰ２で表されるように当初より急激となる。
【００１１】
この場合、電磁弁を１回分だけ開弁及び閉弁動作させるのに必要な最小限の電圧として予め設定してある基準設定電圧Ｖａに基づいて電磁弁を開弁動作させたとき、充電コンデンサの電圧が残る１回分の電磁弁の閉弁動作に必要な基準設定電圧Ｖｂよりも下回ってしまい、その後に電磁弁を閉弁動作させられなくなってしまう。
【００１２】
以上の問題は上記自動水栓や便器の洗浄装置における給水装置のみならず、他の給水装置における給水及び給水停止の制御のための給水制御装置においても生じ得る問題である。
【００１３】
【課題を解決するための手段】
本発明の給水制御装置はこのような課題を解決するために案出されたものである。
而して請求項１のものは、充電コンデンサを電源として電磁弁を動作させる給水装置の給水及び給水停止を制御する給水制御装置であって、前記充電コンデンサの電圧を検出する電圧検出手段と、該電圧検出手段を介して該充電コンデンサの電圧を監視する制御部とを有しており、且つ該制御部は、前記電磁弁の動作による前記充電コンデンサの、予め設定した基準設定電圧からの電圧低下が予定した電圧低下よりも大であるときに、該基準設定電圧を更に高電圧側に再設定するようになしてあることを特徴とする。
【００１４】
請求項２のものは、充電コンデンサを電源として電磁弁を動作させる給水装置の給水及び給水停止を制御する給水制御装置であって、前記充電コンデンサの電圧を検出する電圧検出手段と、該電圧検出手段を介して該充電コンデンサの電圧を監視する制御部とを有しており、且つ該制御部は、開弁指令に基づいて前記電磁弁を開弁動作させるに際し、該電磁弁を１回分だけ開弁及び閉弁動作させるに必要な最小限の電圧として設定した基準設定電圧Ｖａに対して前記充電コンデンサの電圧が同等以上であるときに該電磁弁を開弁動作させるとともに、開弁動作中に該充電コンデンサの電圧が残された１回の閉弁動作に必要な最小限の電圧として設定した基準設定電圧Ｖｂを下回る直前になったとき直ちに開弁動作を中止させて閉弁動作させるとともに、前記Ｖａ，Ｖｂを更に高電圧側の適正な電圧に再設定するようになしてあることを特徴とする。
【００１５】
請求項３のものは、請求項１，２の何れかにおいて、前記給水装置は、水流で発電する発電機で発生した電気エネルギを前記充電コンデンサに充電するものとなしてあることを特徴とする。
【００１６】
請求項４のものは、水流で発電する発電機で発生した電気エネルギを充電コンデンサに充電し、該充電コンデンサを電源として電磁弁を動作させる給水装置の給水及び給水停止を制御する給水制御装置であって、前記充電コンデンサの電圧を検出する電圧検出手段と、該電圧検出手段を介して該充電コンデンサの電圧を監視する制御部とを有しており、且つ該制御部は、吐水中に閉弁指令を受けたときに前記充電コンデンサの電圧が閉弁動作２回と開弁動作１回を行うに必要な最小限の電圧として予め設定してある基準設定電圧Ｖｃより小であるときに、該充電コンデンサの電圧が該Ｖｃとなるまで該電磁弁を閉弁させず強制的に開弁状態を保持するようになしてあることを特徴とする。
【００１７】
請求項５のものは、請求項２において、前記給水装置は水流で発電する発電機で発生した電気エネルギを充電コンデンサに充電するものとなしてあるとともに、前記制御部は、吐水中に閉弁指令を受けたときに前記充電コンデンサの電圧が閉弁動作２回と開弁動作１回を行うに必要な最小限の電圧として予め設定してある基準設定電圧Ｖｃより小であるときに該充電コンデンサの電圧が該Ｖｃとなるまで該電磁弁を閉弁させず強制的に開弁状態を保持するようになしてあり、且つ前記Ｖａ，Ｖｂの再設定を実行したとき該Ｖｃも再設定するようになしてあることを特徴とする。
【００１８】
請求項６のものは、請求項４，５の何れかにおいて、前記強制的に開弁状態を保持するに際して、表示部に該強制的な開弁状態であることを表示させるようになしてあることを特徴とする。
【００１９】
請求項７のものは、請求項６において、前記表示部がＬＥＤ表示部であることを特徴とする。
【００２０】
【作用及び発明の効果】
以上のように本発明は、電磁弁の動作による充電コンデンサの、予め設定した基準設定電圧からの電圧低下が予定した電圧低下よりも大であるとき、充電コンデンサが劣化して容量が低下したものと判断して、その基準設定電圧を更に高電圧側に再設定するようになしたもので、本発明によれば、充電コンデンサが経年変化により劣化した場合であっても、基準設定電圧を常に適正な電圧に保持することができる。
【００２１】
次に請求項２のものは、電磁弁を開弁動作させるに際し、電磁弁を１回分だけ開弁及び閉弁動作させるに必要な最小限の電圧として設定した基準設定電圧Ｖａに対し、充電コンデンサの電圧が同等以上であるときに電磁弁を開弁動作させ、またその開弁動作中において充電コンデンサの電圧が、残された１回の閉弁動作に必要な最小限の電圧として設定された基準設定電圧Ｖｂを下回る直前になったとき、直ちに開弁動作を中止させて閉弁動作させるようになしたもので、この請求項２によれば、電磁弁の開弁動作後にこれを閉弁動作させられなくなってしまうといった問題を回避することができる。
【００２２】
この請求項２ではまた、電磁弁の開弁動作中に閉弁動作に切り替えるようになした場合、Ｖａ，Ｖｂを更に高電圧側の適正な電圧に再設定する。
このようにすることで、電磁弁の開弁動作中に閉弁動作に切り替えてしまうといった不自然な動きをさせてしまうのを防止することができ、適正なＶａ，Ｖｂの下に電磁弁を動作させられるようになる。
【００２３】
ここで上記給水装置は、水流で発電する発電機で発生した電気エネルギを充電コンデンサに充電するものとなしておくことができる（請求項３）。
【００２４】
次に請求項４のものは、水流で発電し充電コンデンサに充電を行う発電機を備えた給水装置の給水制御装置において、吐水中に閉弁動作を行う際、充電コンデンサの電圧が閉弁動作２回と開弁動作１回を行うに必要な最小限の電圧として予め設定してある基準設定電圧Ｖｃより小であるとき、閉弁指令にも拘らず電磁弁を閉弁させず、充電コンデンサの電圧がＶｃとなるまで電磁弁を強制的に開弁状態に保持するようになしたものである。
【００２５】
この請求項４によれば、電磁弁を閉弁動作させて吐水停止させた後において、更に後１回分の開弁動作及び閉弁動作を行うのに必要なエネルギを充電コンデンサに蓄えることができ、その後において充電コンデンサの充電不足に起因する電磁弁の作動不良を起さないようにできるとともに、吐水を必要以上に長く継続することによって水が多く流されてしまうといった無駄を無くすことができる。
【００２６】
次に請求項５は、制御部が上記Ｖａ，Ｖｂの再設定を実行したとき、Ｖｃの再設定を併せて行うようになしたもので、このようにすれば、充電コンデンサの劣化による容量低下にも拘らずＶｃを常に適正な電圧に保持することができる。
【００２７】
このように強制的に開弁状態を保持する場合において、表示部に強制的な開弁状態であることを表示させるようになしておくのが望ましい（請求項６）。
このようにしておけば、例えば自動水栓において手を引いたにも拘らず水が止まらないような場合において、それが故障でないことを使用者に知らせ安心させることができる。
【００２８】
この場合において、この表示部はＬＥＤ表示部となしておくことができる（請求項７）。
またこのようにＬＥＤ表示部となした場合において、これを点滅させるようになしておくことができる。
【００２９】
【実施例】
次に本発明を自動水栓の給水制御装置に適用した場合の実施例を図面に基づいて詳しく説明する。
図１において、１０は手洗器１２に設置された自動水栓で、手洗器１２から起立する形態で設けられた吐水部１４と、これより離隔した位置において壁Ｗに取り付けられた本体機能部１６とを有している。
吐水部１４には吐水口１８と、その下側において手を検知するセンサ２０とが設けられている。
またその上面には手動操作によって吐水口１８からの吐水と吐水停止とを行う押ボタンスイッチ２２が設けられている。
【００３０】
本体機能部１６はボックス２４を有しており、その内部に、水路上に設けられた電磁弁２６及び水路の水流によって翼車を回転させ発電を行う発電機２８及びマイコンからなる制御部３０その他の電気的素子を搭載した基板３２が収容されている。
この本体機能部１６と吐水部１４とは、給水チューブ３４及び信号授受のための信号コード３６にて連絡されている。
尚３８は止水栓である。
【００３１】
図２に、本例の給水制御装置の構成が充電コンデンサ４２，発電機２８等とともに具体的に示してある。
図２において、４０はダイオードブリッジからなる整流回路（全波整流回路）で、発電機２８からの交流出力はこの整流回路４０で直流に変換された上で充電コンデンサ４２に充電される。
上記電磁弁２６におけるソレノイド２６Ａ，制御部３０，センサ２０等はこの充電コンデンサ４２を電源として動作する。
【００３２】
ここで充電コンデンサ４２の電圧値は電圧検出器４４を介して制御部３０に入力され、かかる制御部３０において充電コンデンサ４２の電圧が監視されるようになっている。
４６はトランジスタＱ１，Ｑ２，Ｑ３，Ｑ４を含むＨブリッジ回路からなる電磁弁ドライブ回路で、それぞれのトランジスタＱ１，Ｑ２，Ｑ３，Ｑ４のベース端子が制御部３０に接続され、各トランジスタＱ１，Ｑ２，Ｑ３，Ｑ４が制御部３０にてオン・オフ制御される。
【００３３】
而してこの電磁弁ドライブ回路４６の場合、トランジスタＱ１，Ｑ４のオン動作によって電磁弁２６におけるソレノイド２６Ａに電流が一方向に流れ、またトランジスタＱ２，Ｑ３のオン動作によりソレノイド２６Ａにこれとは逆向きの電流が流れる。
これにより電磁弁２６の開弁動作と閉弁動作とが行われる。
【００３４】
図４に示しているように、本例では制御部３０が、電磁弁２６の１回分の開弁動作と閉弁動作とを行うのに必要な最小限の基準設定電圧Ｖａより充電コンデンサ４２の電圧Ｖが高いときに電磁弁２６を開弁動作させる一方、充電コンデンサ４２の電圧Ｖがそれよりも低いときには電磁弁２６の開弁動作を禁止するように、かかる電磁弁２６を作動制御する。
【００３５】
加えて本例では、経年変化等により充電コンデンサ４２が劣化してその容量が低下したとき、基準設定電圧Ｖａ及び電磁弁２６が１回分の閉弁動作を行うのに必要な最小限の基準設定電圧Ｖｂを、それぞれＶａ，ＶｂよりもΔＶａ，ΔＶｂだけ高い電圧（基準設定電圧）Ｖａ，Ｖｂに再設定するように制御部３０が構成してある。
図３はその際の制御部３０の制御内容をフローチャートとして示したものである。
【００３６】
図示のように本例では、センサ２０や押ボタンスイッチ２２等からの開弁指令に基づいて、先ず電磁弁２６に開弁動作を行わせる前に充電コンデンサ４２の電圧Ｖをチェックし（調べ）、そして充電コンデンサ４２の現在の電圧Ｖが、設定基準電圧Ｖａより小であるときにはＬＥＤ表示部を点滅させるなどの異常表示処理を行うとともに電磁弁２６の開弁動作を禁止する（ステップＳ１０，Ｓ１１）。
一方充電コンデンサ４２の電圧Ｖが設定基準電圧Ｖａ以上であるときには、電磁弁２６を開弁動作させる（ステップＳ１２）。
【００３７】
制御部３０は、開弁動作開始後も充電コンデンサ４２の電圧Ｖを監視してその電圧Ｖが基準設定電圧Ｖｂ、即ち電磁弁２６の１回分の閉弁動作に必要な最小限の電圧として設定された基準設定電圧Ｖｂ以上であるか判定し（ステップＳ１４）、電圧ＶがＶｂより小であるときには開弁動作を直ちに停止して電磁弁２６を閉弁動作させる（ステップＳ１７）。
その際Ｖａの再設定処理とＶｂの再設定処理、更にはＶｃの再設定処理を併せて行う（ステップＳ１８）。
ここでＶｃは、電磁弁２６を閉弁動作させ、更にその後において電磁弁２６の開弁動作及び閉弁動作を１回分行うに必要な最小限の電圧として設定された電圧である。
【００３８】
Ｖａ，Ｖｂの再設定処理が必要となったときには、充電コンデンサ４２が劣化したものとしてこのＶｃの再設定処理も併せて行うのである。
尚ステップＳ１４，Ｓ１７，Ｓ１８を実行するに際し、これと併せてＬＥＤ表示部を点滅させるなどして、使用者に表示するようになすこともできる。
【００３９】
これらＶａ，Ｖｂ，Ｖｃの再設定は以下の式（１）に基づいて行うことができる。
【数１】
2004251387.tif 000003
但し
Ｅ：最初のコンデンサ電圧
Ｖ：電磁弁通電ｔ時間後のコンデンサ電圧
ｔ：通電時間
Ｃ：コンデンサ容量
Ｒ：電磁弁抵抗
【００４０】
この式（１）において、電磁弁２６を開く前の電圧Ｖと開いた後の電圧Ｖ及びコイルの抵抗Ｒ、更に通電時間ｔは分っているので、この式（１）から充電コンデンサ４２の容量Ｃの値を知ることができる。即ち充電コンデンサ４２がどれだけ劣化したかを知ることができる。
これに基づいて適正なＶａ，Ｖｂ，Ｖｃを再設定することができる。
【００４１】
一方電磁弁２６の開弁動作によって充電コンデンサ４２の電圧ＶがＶｂまで低下していないときには、電磁弁２６はそのまま開弁終了に至り（ステップＳ１６）、吐水を続行する。
そしてその後センサ２０が手を検知しなくなったとき、或いは押ボタンスイッチ２２が再び操作されることによって閉弁指令が発せられたとき、制御部３０は電磁弁２６の閉弁のためのステップを実行する。
【００４２】
このとき、先ず充電コンデンサ４２の電圧ＶがＶｃ以上であるか否か判定し（ステップＳ２６）、その結果ＶがＶｃ以上でないとき、即ち充電コンデンサ４２の電圧Ｖが閉弁動作２回と開弁動作１回を行うに必要な最小限の電圧に達していないときには、電磁弁２６を閉弁動作させることなくそのまま吐水を強制的に継続する（電磁弁強制開）。
またこのとき、自動水栓１０が故障しているのでないことを使用者に表示するため、ＬＥＤ表示部を点滅させるなどして現在電磁弁が強制開中であることを表示する（ステップＳ２８）。
そして電磁弁２６を強制開弁とすることによって、即ち吐水を続行することによって充電コンデンサ４２の電圧ＶがＶｃ以上となったところで、そこで初めて電磁弁２６を閉弁動作させる。
【００４３】
以上のように本例によれば、本来電磁弁２６の開弁動作を禁止すべきであるのにも拘らず電磁弁２６を開弁動作させてしまった場合においても、電磁弁を閉弁動作させるのに必要な最小の電圧Ｖｂまで充電コンデンサ４２の電圧が低下したとき、開弁動作を中止して直ちに電磁弁２６を閉弁動作させるようにしているため、充電コンデンサ４２の電圧が不足して電磁弁２６を閉弁動作させることができず、電磁弁２６がそのまま開弁状態のままとなってしまって、水が出っ放しになるといった不都合を防ぐことができる。
【００４４】
また開弁動作中に充電コンデンサ４２の電圧Ｖの低下によって電磁弁２６を閉弁動作させたときにはＶａ，Ｖｂ，Ｖｃを高電圧側に再設定するため、その後においては常にＶａ，Ｖｂ，Ｖｃを適正な基準設定電圧に保持することができ、充電コンデンサ４２の電圧不足により電磁弁２６が作動不良を起してしまうといった問題を解決することができる。
【００４５】
また本例では吐水中に電磁弁２６を閉弁動作させる際に、充電コンデンサ４２の電圧ＶがＶｃよりも低いことによって、電磁弁２６を強制開弁状態に保ち、吐水継続により充電コンデンサ４２の電圧Ｖを高め、そしてその電圧Ｖが閉弁動作２回と開弁動作１回を行うに必要な最小限の基準設定電圧Ｖｃに達したところで吐水停止するようにしているため、強制開弁によって水が無駄に多く流されてしまうといったことを防止できる。
【００４６】
またそのような強制開弁を実行する際には、ＬＥＤ表示部において使用者にこれを表示するため、使用者に対し安心感を与えることができる。
【００４７】
尚、図５に示しているようにこの種自動水栓においては通常一次電池５０をバックアップ電池として備えておく。
但しこの場合においても一次電池５０の電池切れが生じることがあり、或いは電池ボックスが悪戯その他によって空となってしまう状態も生じ得る。
【００４８】
従ってこのような一次電池５０をバックアップ電池として備えておいた場合においても上記効果を奏することができる。
また一次電池５０が電池切れを起していない場合であっても、上記のように給水制御装置を構成することで一次電池５０の電池消耗を実質的に無くすことが可能であり、メンテナンスフリー化を実現することが可能となる。
尚図５において、５２は逆流防止用のダイオードである。
【００４９】
図６は、第一の充電コンデンサ４２−１と第二の充電コンデンサ４２−２とを設け、そして第一の充電コンデンサ４２−１の電圧を昇圧回路４８で昇圧して第二の充電コンデンサ４２−２に蓄え、この第二の充電コンデンサ４２−２を直接的な電源として電磁弁２６等を動作させるようにした例である。
ここで第一の充電コンデンサ４２−１は、発電機２８で発生した電気エネルギをここに蓄え、これを第二の充電コンデンサ４２−２に対し補給する働きをなす。
【００５０】
このようにした場合、例えば電圧３Ｖ程度の一次電池５０をバックアップ電池として用いながら、電磁弁２６を例えばこれよりも高い電圧５Ｖ程度で動作させることが可能となり、バックアップ用の一次電池５０としてコストの安いものを用いることが可能となる。
この図６の例の場合、上記Ｖｃの設定を図６中左側の第一の充電コンデンサ４２−１において行い、またＶａ，Ｖｂの設定を右側の第二の充電コンデンサ４２−２において行うようになすのが好都合である。
【００５１】
以上本発明の実施例を詳述したがこれはあくまで一例示であり、本発明はその趣旨を逸脱しない範囲において種々変更を加えた形態で構成可能である。
【図面の簡単な説明】
【図１】本発明の適用対象の一例としての自動水栓を手洗器への取付状態で示す図である。
【図２】本発明の一実施例の給水制御装置の電気回路構成を示す図である。
【図３】同実施例の給水制御装置における制御の実行内容を示すフローチャートである。
【図４】図２の充電コンデンサの電圧低下の様子を示す説明図である。
【図５】本発明の他の実施例を示す図である。
【図６】本発明の更に他の実施例を示す図である。
【図７】本発明の背景説明のための説明図である。
【符号の説明】
１０  自動水栓
２６  電磁弁
２８  発電機
３０  制御部
４４  電圧検出器（電圧検出手段）
【図１】
2004251387.tif 000004
【図２】
2004251387.tif 000005
【図３】
2004251387.tif 000006
【図４】
2004251387.tif 000007
【図５】
2004251387.tif 000008
【図６】
2004251387.tif 000009
【図７】
2004251387.tif 000010